(57)【要約】【課題】第１、第２ガイド受け部を有することによってレンズを光軸方向に移動可能としたレンズ保持構造において、ガイド受け部とガイド軸のガタによるレンズの中心ズレ量を低減する。【解決手段】レンズ１１ｂを保持し第１ガイド受け部１１ｃを有する第１のレンズ保持枠１１ａと、第１のレンズ保持枠に対して光軸方向に移動可能に保持されレンズ１２ｂを保持し第２ガイド受け部１２ｃを有する第２のレンズ保持枠１２ａと、第１のレンズ保持枠１１ａを摺動可能に保持し第２のレンズ保持枠１２ａを一体的に保持する共通ガイド軸１３を有し、第１のレンズ保持枠１１ａの第１ガイド受け部１１ｃは光軸方向に本体１４に対して摺動可能にガイドされ、第２のレンズ保持枠１２ａの第２ガイド受け部１２ｃは第１ガイド受け部１１ｃの光軸方向のガイド部の内側で共通ガイド軸１３に一体的に保持され、共通のガイド軸１３は本体１４に対して摺動可能に保持されている。【選択図】図１
2005315958.tif 000002
【特許請求の範囲】
【請求項１】
少なくとも１つのレンズを保持し第１ガイド受け部を有する第１のレンズ保持枠と、
第１のレンズ保持枠に対して光軸方向に移動可能に保持され少なくとも１つのレンズを保持するとともに第２ガイド受け部を有する第２のレンズ保持枠と、
第１のレンズ保持枠を摺動可能に保持するとともに第２のレンズ保持枠を一体的に保持する少なくとも１本の共通ガイド軸を有し、
上記第１のレンズ保持枠の第１ガイド受け部は光軸方向に本体に対して摺動可能にガイドされており、
上記第２のレンズ保持枠の第２ガイド受け部は上記第１ガイド受け部の光軸方向のガイド部の内側で上記共通ガイド軸に一体的に保持され、
上記共通のガイド軸は本体に対して摺動可能に保持されていることを特徴とするレンズ保持構造。
【請求項２】
請求項１記載のレンズ保持枠構造において、上記第２のレンズ保持枠が保持している少なくとも１つのレンズは、上記第１のレンズ保持枠が保持している少なくとも１つのレンズよりも偏心感度が高いことを特徴とするレンズ保持構造。
【請求項３】
請求項１記載のレンズ保持枠構造において、上記第１のレンズ保持枠は、保持しているレンズ、第１ガイド受け部と一体成形されていることを特徴とするレンズ保持構造。
【請求項４】
請求項１記載のレンズ保持枠構造において、上記第２のレンズ保持枠は、保持しているレンズ、第２ガイド受け部と一体成形されていることを特徴とするレンズ保持構造。
【請求項５】
請求項１記載のレンズ保持枠構造において、上記第１ガイド受け部の光軸方向のガイド部は、光軸に平行に伸びている少なくとも２つ以上の面で保持されていることを特徴とするレンズ保持構造。
【請求項６】
請求項５記載のレンズ保持枠構造において、上記光軸方向のガイド部間の距離は、上前記第２のレンズ保持枠の移動距離より長いことを特徴とするレンズ保持構造。
【請求項７】
請求項１記載のレンズ保持枠構造において、上記第１のレンズ保持枠と上記第２のレンズ保持枠は、カムによって光軸方向に独立して移動可能となっていることを特徴とするレンズ保持構造。
【請求項８】
請求項１乃至７のいずれか一つに記載のレンズ保持枠構造を備えていることを特徴とするファインダ装置。
【請求項９】
請求項１乃至７のいずれか一つに記載のレンズ保持枠構造を備えていることを特徴とする撮影レンズ鏡筒。
【請求項１０】
請求項８のファインダ装置または請求項９の撮影レンズ鏡筒を備えていることを特徴とするカメラ。
【発明の詳細な説明】
【技術分野】
【０００１】
本発明は、ズーミング機能を有するレンズにおける各レンズの保持構造、ズーム撮影レンズに連動してズーミングするカメラのズームファインダ装置、ズーミング機能を有す撮影レンズ鏡筒およびこれを用いたカメラに関するものである。本発明は、ズーム撮影レンズ装置またはズームファインダ装置を用いたビデオカメラ、デジタルカメラ、双眼鏡などに適用することができる。
【背景技術】
【０００２】
従来、ズームレンズ鏡筒などのような複数のレンズ保持枠を移動させる機構として、以下のような構成のものが提案されている。
その一つは、レンズ保持枠の数だけガイド軸をカメラなどの本体に固定して、各ガイド軸をカムによって移動させるように構成したものである（例えば、特許文献１参照）。
また、１本のガイド軸に複数のレンズ保持枠を光軸方向に移動可能に保持させるようにした構成のものもある（例えば、特許文献２参照）。
【０００３】
しかし、特許文献１記載の発明のように、レンズ保持枠の数だけガイド軸をカメラなどの本体に固定する構成では、スペース効率が著しく低下し、部品数が増えることによって部品コストもそれだけ上がるという難点もある。また、特許文献２記載の発明のように、１本のガイド軸で複数のレンズ保持枠を摺動させるように構成したものでは、カメラなどの本体の、光軸方向の長さ（カメラであれば厚み方向の寸法）が大きいものであれば搭載することが可能である。しかし、カメラなどをできるだけ小型化することが望まれる現状では、レンズの光軸方向寸法を極力短くする必要があり、そのために、レンズを光軸方向に移動させるためのガイド受け部の光軸方向長さを短くすると、レンズ保持枠のガイド受け部とガイド軸の間との僅かなガタでも、レンズ保持枠の姿勢が大きく傾き、レンズの中心がずれるという問題がある。
【０００４】
このような問題を解決するために、１本のガイド軸で複数のレンズ保持枠の移動をガイドし、かつ、ガイド受け部もある程度の長さを確保出来るような構造が提案されている（例えば、特許文献３参照）。特許文献３記載の発明では、一方のレンズ保持枠のガイド受け部を複数個互いに離間させて有し、他方のレンズ保持枠のガイド受け部を上記一方の離間したガイド部の中に配置する構成を提案している。
【０００５】
特許文献３に記載されているレンズ保持枠構造では、一方のレンズ保持枠のガイド受け部の長さは充分取ることができるが、他方のレンズ保持枠のガイド受け部の長さは長くすることができず、特許文献２記載の発明と同様に、レンズ保持枠のガイド受け部とガイド軸との間の僅かなガタがレンズ保持枠の姿勢を大きく傾かせることになり、レンズの中心がズレ、光学性能に影響を及ぼすことになってしまうという難点がある。また、光学性能を確保しようとすると、レンズ保持枠とガイド受け部の精度と、ガイド受け部とガイド軸の精度を上げざるを得ず、部品コストや組立コストが上昇してしまうことになる。
【０００６】
【特許文献１】特開２００１−２９０２０８号公報
【特許文献２】特許第２９０４３７５号公報
【特許文献３】特開平１１−３４４７４５号公報
【発明の開示】
【発明が解決しようとする課題】
【０００７】
本発明は、本発明は以上の点に鑑みてなされたもので、請求項１記載の発明は、第１のガイド受け部を光軸に平行な方向の前後で摺動可能にガイドされ、第２のガイド受け部をガイド軸に固定し、そのガイド軸は本体に対して摺動可能に保持することによって、第２のガイド受け部の長さをカメラなどの本体の長さに見合った分確保することを可能にして、ガイド受け部とガイド軸のガタによるレンズの中心ズレ量を低減することができるレンズ保持構造を提供することを目的としている。
【０００８】
請求項２記載の発明は、第１のレンズ保持枠の中心ずれ量より、第２のレンズ保持枠の中心ずれ量が小さくなるため、偏心感度の高いレンズを第２のレンズ保持枠とすることで、光学性能への影響を低減させることができるレンズ保持構造を提供することを目的としている。
【０００９】
請求項３記載の発明は、第１のレンズ保持枠をこの保持枠で保持しているレンズと一体成形することによって、組立誤差の低減とコストの低減を図ることができるレンズ保持構造を提供することを目的としている。
【００１０】
請求項４記載の発明は、第２のレンズ保持枠をこの保持枠で保持しているレンズと一体成形することによって、組立誤差の低減とコストの低減を図ることができるレンズ保持構造を提供することを目的としている。
【００１１】
請求項５記載の発明は、第１ガイド受け部の光軸方向の前後のガイド部を、光軸に平行に伸びている少なくとも２つ以上の面で固定することで、第１ガイド受け部全体の形状が、成形収縮や、外力によって容易に変化することのないようにすることができるレンズ保持構造を提供することを目的としている。
【００１２】
請求項６記載の発明は、第１ガイド受け部の光軸方向の前後のガイド部の間の距離を、第２のレンズ保持枠の移動距離より長くすることで、第１、第２のレンズ保持枠を独立して動かすことが可能になり、レンズ設計を容易で、光学性能を向上させることができるレンズ保持構造を提供することを目的としている。
【００１３】
請求項７記載の発明は、第１のレンズ保持枠と第２のレンズ保持枠をカムで光軸方向に独立して可動させることにより、レンズ設計を容易にし、光学性能を向上させることができるレンズ保持構造を提供することを目的としている。
【００１４】
請求項８乃至１０に記載の発明は、少なくとも１つのレンズを保持している第１のレンズ保持枠と、少なくとも１つのレンズを保持している第２のレンズ保持枠とを光軸方向に移動することによってズーミングを行うファインダ装置、撮影レンズ鏡筒あるいはカメラにおいて、良好な画像性能を確保することを目的としている。
【課題を解決するための手段】
【００１５】
請求項１記載のレンズ保持構造は、少なくとも１つのレンズを保持し第１ガイド受け部を有する第１のレンズ保持枠と、第１のレンズ保持枠に対して光軸方向に移動可能に保持され少なくとも１つのレンズを保持するとともに第２ガイド受け部を有する第２のレンズ保持枠と、第１のレンズ保持枠を摺動可能に保持するとともに第２のレンズ保持枠を一体的に保持する少なくとも１本の共通ガイド軸を有し、上記第１のレンズ保持枠の第１ガイド受け部は光軸方向に本体に対して摺動可能にガイドされており、上記第２のレンズ保持枠の第２ガイド受け部は上記第１ガイド受け部の光軸方向のガイド部の内側で上記共通ガイド軸に一体的に保持され、上記共通のガイド軸は本体に対して摺動可能に保持されている特徴とする。
【００１６】
請求項２記載の発明は、請求項１記載のレンズ保持枠構造において、上記第２のレンズ保持枠が保持している少なくとも１つのレンズは、上記第１のレンズ保持枠が保持している少なくとも１つのレンズよりも偏心感度が高いことを特徴とする。
【００１７】
請求項３記載の発明は、請求項１記載のレンズ保持枠構造において、上記第１のレンズ保持枠は、保持しているレンズ、第１ガイド受け部と一体成形されていることを特徴とする。
【００１８】
請求項４記載の発明は、請求項１記載のレンズ保持枠構造において、上記第２のレンズ保持枠は、保持しているレンズ、第２ガイド受け部と一体成形されていることを特徴とする。
【００１９】
請求項５記載の発明は、請求項１記載のレンズ保持枠構造において、上記第１ガイド受け部の光軸方向のガイド部は、光軸に平行に伸びている少なくとも２つ以上の面で保持されていることを特徴とする。
【００２０】
請求項６記載の発明は、請求項５記載のレンズ保持枠構造において、上記光軸方向のガイド部間の距離は、上前記第２のレンズ保持枠の移動距離より長いことを特徴とする。
【００２１】
請求項７記載の発明は、請求項１記載のレンズ保持枠構造において、上記第１のレンズ保持枠と上記第２のレンズ保持枠は、カムによって光軸方向に独立して移動可能となっていることを特徴とする。
【００２２】
請求項８記載の発明は、ファインダ装置に関するもので、請求項１乃至７のいずれか一つに記載のレンズ保持枠構造を備えていることを特徴とする。
【００２３】
請求項９記載の発明は、撮影レンズ鏡筒に関するもので、請求項１乃至７のいずれか一つに記載のレンズ保持枠構造を備えていることを特徴とする。
【００２４】
請求項１０記載の発明は、カメラに関するもので、請求項８のファインダ装置または請求項９の撮影レンズ鏡筒を備えていることを特徴とする。
【発明の効果】
【００２５】
請求項１記載の発明によれば、第１のガイド受け部を光軸に平行な方向の前後で摺動可能にガイドし、第２のガイド受け部をガイド軸に固定し、そのガイド軸は本体に対して摺動可能に保持することによって、第２のガイド受け部の長さを本体の長さに見合った分確保することができ、これによって、ガイド受け部とガイド軸のガタによるレンズの中心ズレ量を低減することができる。
【００２６】
請求項２記載の発明によれば、第１のレンズ保持枠より、第２のレンズ保持枠の中心ズレ量が小さくなるため、偏心感度の高いレンズを第２のレンズ保持枠とすることで光学性能への影響を低減させることができる。
【００２７】
請求項３記載の発明によれば、第１のレンズ保持枠と保持しているレンズを一体成形することによって、組立誤差の低減、コストの低減を図ることができる。
【００２８】
請求項４記載の発明によれば、第２のレンズ保持枠と保持しているレンズを一体成形することによって、組立誤差の低減、コストの低減を図ることができる。
【００２９】
請求項５記載の発明によれば、第１ガイド受け部の光軸方向の前後のガイド部を、光軸に平行に伸びている少なくとも２つ以上の面で固定することで、第１ガイド受け部全体の形状が、成形収縮や外力などによって変形しにくくなる利点がある。
【００３０】
請求項６記載の発明によれば、第１ガイド受け部の光軸方向のガイド部間の距離が、第２のレンズ保持枠の移動距離より長くなることで、第１、第２のレンズ保持枠を独立して動かすことが可能になり、レンズ設計を容易にし、光学性能を向上させることができる。
【００３１】
請求項７記載の発明によれば、第１のレンズ保持枠と第２のレンズ保持枠をカムで光軸方向に独立して可動させることにより、レンズ設計を容易にし、光学性能を向上させることができる。
【００３２】
請求項８乃至１０に記載の発明によれば、少なくとも１つのレンズを保持している第１のレンズ保持枠と、少なくとも１つのレンズを保持している第２のレンズ保持枠とを光軸方向に移動することによってズーミングを行うファインダ装置、撮影レンズ鏡筒、あるいはカメラにおいて、良好な画像性能を確保することができる。
【発明を実施するための最良の形態】
【００３３】
以下、本発明の実施例を、図を参照しながら説明する。
図１は、本発明のレンズ保持枠構造を用いたファインダ装置の実施例の外観図である。このファインダ装置は、例えばカメラに装着された光学式ファインダ装置であって、図示されない撮影レンズとは別に、光軸が撮影レンズの光軸と平行になるように配置されている。本実施例にかかるファインダ装置においては、第１のレンズ保持枠１１aとレンズ１１ｂと第１ガイド受け部１１ｃとカムフォロア１１ｄと回転止め１１ｅがプラスチックによって一体成形されている。上記レンズ１１ｂを中心にして、その周囲が第１のレンズ保持枠１１aとなっており、第１ガイド受け部１１ｃとカムフォロア１１ｄが第１のレンズ保持枠１１aの下側の一隅部に、斜め方向に突出して一体に形成されている。回転止め１１ｅは第１のレンズ保持枠１１aの上端中央部に、上方に突出して一体に形成されている。
【００３４】
同様に、第２のレンズ保持枠１２aとレンズ１２ｂと第２ガイド受け部１２ｃとカムフォロア１２ｄと回転止め１２ｅがプラスチックによって一体成形されている。上記レンズ１２ｂを中心にして、その周囲が第２のレンズ保持枠１２aとなっており、第２ガイド受け部１２ｃとカムフォロア１２ｄが第１のレンズ保持枠１１aの下側の一隅部に、斜め方向に突出して一体に形成されている。回転止め１２ｅは第２のレンズ保持枠１２aの上端中央部に、上方に突出して一体に形成されている。レンズ１１ｂとレンズ１２ｂはそれぞれ１枚のレンズで構成されているが、複数枚のレンズで構成されることもあり得る。特に、本願発明にかかるレンズ保持構造を撮影レンズに適用する場合は、上記各レンズを複数枚のレンズで構成することが普通である。
【００３５】
ファインダ本体１４には、一本の共通ガイド軸１３が上記ファインダ光学系の光軸と平行に配置されている。上記ガイド軸１３に、上記第１ガイド受け部１１ｃが挿入されて第１ガイド受け部１１ｃは共通ガイド軸１３に沿って摺動可能に保持されている。上記第１ガイド受け部１１ｃの光軸方向のガイド部は、光軸に平行に伸びている少なくとも２つ以上の面で保持されている。換言すると、図示の例では、光軸方向に離間した一対の第１ガイド受け部１１ｃを有すると共に、これらの第１ガイド受け部１１ｃは一体に形成され、この一対の第１ガイド受け部１１ｃがそれぞれガイド軸１３の面に接して保持されている。
【００３６】
第２ガイド受け部１２ｃは共通ガイド軸１３に固定されている。この固定方法は任意で、圧入、あるいは接着でもよく、または、共通ガイド軸１３と第２ガイド受け部１２ｃとを一体成形してもよい。また、共通ガイド軸１３はファインダ本体１４に対して軸線方向に摺動可能に保持され、第２レンズ保持枠１２ａと一体に光軸方向に移動するようになっている。このように構成されることによって、第１のレンズ保持枠１１ｂと第２のレンズ保持枠１２ｂは、それぞれ独立して、次に説明するカムによって光軸方向に移動することができる。上記カムフォロア１１ｄ、１２ｄはそれぞれ付勢部材１５、１６で光軸方向に付勢されており、図示されない撮影レンズ鏡筒からの駆動力を受けて移動するカム１７のカム面に各々付勢されて押し付けられている。撮影レンズ鏡筒側においてズーミングが行われると、このズーミングに伴ってカム１７が移動し、カム１７の各カム面に応じて上記カムフォロア１１ｄ、１２ｄと一体のレンズ１１ｂ、１２ｂが移動し、撮影レンズ鏡筒側のズーミングと同様にファインダ側でもズーミングが行われるようになっている。ファインダ本体１４には光軸と平行に溝１４ａが形成されていて、この溝１４ａに上記二つの回転止め１１ｅ、１２ｅが挿入されている。したがって、二つのレンズ１１ｂ、１２ｂの移動の際、これらのレンズは回転することなく光軸方向に移動する。
【００３７】
図２（ａ）は、従来のレンズ保持枠構造による光軸ズレの様子を示しており、図２（ｂ）は、本発明のレンズ保持構造による光軸ズレの様子を示している。これらの図は各々のガイド受け部とガイド軸との間のガタ量を同じとしたときに生じるズレの様子を示している。図２（ａ）に示す従来例では、固定の共通ガイド軸１３に対して第１ガイド受け部１１ｃと第２ガイド受け部１２ｃがともに相対的に摺動可能な構成となっている。これに対して、図２（ｂ）に示す本発明の実施例では、ファインダ本体１４に対して摺動可能に保持された共通ガイド軸１３に対して第１ガイド受け部１１ｃが相対的に摺動可能となっており、第２ガイド受け部１２ｃが共通ガイド軸１３と一体となっている。そして、本発明の実施例では、前後に対をなす第１ガイド受け部１１ｃが光軸方向に比較的大きく離間しており、この離間した一対の第１ガイド受け部１１ｃ間、換言すれば一対の第１ガイド受け部１１ｃ内側に第２ガイド受け部１２ｃが位置している。
【００３８】
上記第２のレンズ保持枠１２ａが保持している少なくとも１つのレンズ１２ｂは、上記第１のレンズ保持枠１１ａが保持している少なくとも１つのレンズ１１ｂよりも偏心感度が高くなっている。ここでいう「偏心感度」とは、レンズの偏心量が一定とした場合に、画像性能ないしは結像性能に与える影響度のことを言う。「偏心感度が高い」とは、レンズの偏心量が一定とした場合に、画像性能ないしは結像性能に与える影響が大きいことをいう。
【００３９】
図２（ａ）（ｂ）は、第２ガイド受け部１２ｃの光軸に対するズレ量または倒れ角を示している。図２（ａ）に示す従来例では、第２ガイド受け部１２ｃの倒れ角が４．５７°、図２（ｂ）に示す本発明にかかるレンズ保持構造を用いた場合の第２ガイド受け部１２ｃの倒れ角は０．４７°であり、本発明によればかなりのずれ量の低減が見られる。これは、共通ガイド軸１３に対して第２ガイド受け部１２ｃが摺動する構成の場合、第２ガイド受け部１２ｃの長さが短くなればなるほどレンズの光軸ズレは大きくなるからである。これに対して、本発明の実施例のように、第２ガイド受け部１２ｃを共通ガイド軸１３に固定した構成にすれば、共通ガイド軸１３はその長さ方向両端部付近で支持することができるため、支持部間の距離を十分に長くすることができ、共通ガイド軸１３とその支持部との間にガタがあっても、かつ、第２ガイド受け部１２ｃの長さが短くても、レンズの光軸ズレを小さくすることができ、良好な光学性能を確保することができる。このように、第２ガイド受け部１２ｃの長さが短くても良好な光学性能を確保することができるため、第２のレンズ保持枠１２ａが保持しているレンズ１２ｂの偏心感度が第１のレンズ保持枠１１ａが保持しているレンズ１１ｂの偏心感度より大きくても、光学性能に及ぼす影響を小さくすることができる。
【００４０】
図２（ｃ）は本発明の実施例にかかるレンズ保持枠が移動した後の形態を示す。一本の共通ガイド軸１３が前側（図２において下側）へ出てきており、その分だけ第２レンズ保持枠１２ｃが前側へ移動している。第１レンズ保持枠１１ｃは共通ガイド軸１３に対して摺動可能であり、第２レンズ保持枠１２ｃの移動距離よりも多くの移動が可能である。
【００４１】
図３は本発明の実施例にかかるレンズ保持構造において、レンズ保持枠が移動した後の状態を示す外観図である。共通ガイド軸１３の前端部分がファインダ本体の支持部から前側に突出している。カム１７は、例えば、カメラの撮影レンズのズームリングの動きに連動して光軸周りに回転するものであり、カム１７に形成された２本のカム溝の一方に第１レンズ保持枠１１ｃと一体の前記カムフォロア１１ｄが嵌り、上記カム溝の他方に第２レンズ保持枠１２ｃと一体の前記カムフォロア１２ｄが嵌っている。カム１７の回転に伴い、上記カム溝の形状に従って第１レンズ保持枠１１ｃと一体の前記レンズ１１ｂ、第２レンズ保持枠１２ｃと一体の前記レンズ１２ｂが移動し、撮影レンズのズーミングに合わせてファインダのズーミングも行われる。
【００４２】
図示の実施例では、一つのレンズ保持枠に一つのレンズを保持した構成になっていたが、一つのレンズ保持枠に複数のレンズを保持させるものであってもよい。
以上説明した実施例は、カメラなどのファインダ装置を想定した構成になっていたが、本発明の技術思想は、これをカメラなどの撮影レンズ鏡筒に適用することもできる。また、この撮影レンズ鏡筒を使用したカメラとして構成することも可能である。
【図面の簡単な説明】
【００４３】
【図１】本発明にかかるレンズ保持構造の実施例を、一部を破断して示す斜視図である。
【図２】本発明にかかるレンズ保持構造の作用効果を説明するための図であって、（ａ）は従来のレンズ保持構造の例を、（ｂ）本発明にかかるレンズ保持構造の例を、（ｃ）は本発明にかかるレンズ保持構造の動作態様を示す平面図である。
【図３】上記レンズ保持構造の実施例の動作態様を、一部を破断して示す斜視図である。
【符号の説明】
【００４４】
１１ａ    第１のレンズ保持枠
１１ｂ    レンズ
１１ｃ    第１ガイド受け部
１１ｄ    カムフォロア
１１ｅ    回転止め
１２ａ    第２のレンズ保持枠
１２ｂ    レンズ
１２ｃ    第２ガイド受け部
１２ｄ    カムフォロア
１２ｅ    回転止め
１３    共通ガイド軸
１４    本体
【図１】
2005315958.tif 000003
【図２】
2005315958.tif 000004
【図３】
2005315958.tif 000005